【事件の表示】
　特願２００８−３１５０４５「コンテンツ管理システム及び方法」拒絶査定不服審判事件〔平成２１年　８月２７日出願公開、特開２００９−１９３５７０〕について、次のとおり審決する。
【結　論】
　本件審判の請求は、成り立たない。
【理　由】
１．手続の経緯
　
　本願は、平成１４年５月１６日（パリ条約による優先権主張２００１年６月１５日、米国、２００１年７月１３日、米国）を国際出願日とする特願２００３−５０５７９７号の一部を、平成２０年１１月１３日に新たに特許出願したものであって、平成２３年２月４日付けで拒絶理由が通知され、平成２３年８月１５日に意見書及び手続補正書が提出され、同年９月１日付けで拒絶査定がなされ、これに対し、平成２４年１月１２日に拒絶査定に対する審判請求がなされたものである。
　
　
２．本願発明
　本願の請求項１〜３８に係る発明は、平成２３年８月１５日付け手続補正書により補正された特許請求の範囲の請求項１〜３８に記載された事項により特定されるとおりのものであるところ、請求項１８に係る発明（以下、「本件発明」と呼ぶ。）は、次のとおりのものである。
　
「　　【請求項１８】
　コンピュータにより実行される、コンテンツを階層構造に編成する編成方法において、
　プロジェクトを作成するステップと、
　上記プロジェクトを保存し、編成し、管理するために用いられるメタデータを上記作成したプロジェクトに添付するステップと、
　上記作成されたプロジェクトに関連付けるために、上記資産が上記プロジェクトに既に関連付けられている場合に解除するために、及び上記資産に関する上記メタデータについての情報を入力するために選択可能な資産のライブラリを閲覧するステップと、
　上記少なくとも１つの資産を選択して上記作成したプロジェクトに関連付けるステップと、
　上記作成したプロジェクトをスケジューリングするステップと、
　上記作成したプロジェクトを保存するステップとを有する編成方法。」
　
　
３．引用例
　平成２３年２月４日付けの拒絶理由通知書において引用された、本願の優先日前に頒布された刊行物である、Ｍｉｃｒｏｓｏｆｔ(R)  ＦｒｏｎｔＰａｇｅ(R)  ９８  ｆｏｒ  Ｗｉｎｄｏｗｓ(R)  活用ガイド、初版、マイクロソフト株式会社、１９９７年１０月１日、第９６〜１１９頁（以下、「引用例１」と呼ぶ。）（審決注：丸付き文字の R は (R) と記載した。以下同様。）には、図面とともに次の技術事項が記載されている。
　
（Ａ）「
Microsoft(R) FrontPage(R) Explorer（以下 FrontPage Explorer）は、FrontPage Web を作成、構成、管理、および発行するツール
FrontPage Explorer を使用すれば、Web サイトの構成やレイアウトの作成、ファイルやフォルダの整理、ページやファイルのインポートとエクスポート、ハイパーリンクのテストと修復、アクセス権限の管理などの作業を行
Microsoft(R) FrontPage(R) Editor（以下、FrontPage Editor）を起動して、Web ページの内容をデザイン及び編集することができ
　
（Ｂ）「
FrontPage Web には、HTML ページ、画像、ドキュメント、および Web サイトを構成するその他のファイルやフォルダが含まれ
　
（Ｃ）「
FrontPage Explorer を初めて起動すると、[Microsoft FrontPage] ダイアログボックスが表示され
…（中略）…
このダイアログ ボックスには、直前に開いたFrontPage Web の一覧が表示され
一覧から FrontPage Web を選択し、[OK] をクリックして開き
　
（Ｄ）第１０１頁中央の図には、
「Microsoft FrontPage」と題されたウィンドウ
一覧に「Personal Web(ローカル)」と表示され
　
（Ｅ)「
新しい FrontPage Web を作成するには、[新しい FrontPage Web] ダイアログ ボックスを使用し
　
（Ｆ）第１０２頁中央の図には、
「新しい FrontPage Web」と題されたウィンドウ
入力欄に「Personal Web」と入力され
　
（Ｇ）「FrontPage Explorer のビュー
FrontPage Explorer のビューを使用すると、FrontPage Web をさまざまな方法で表示し、効果的にサイトを管理することができ
…（中略）…
FrontPage Web のファイルおよびフォルダの構成を表示するには、フォルダ ビューを選択し
このビューでは、Windows 95（または Windows NT）のエクスプローラと同じ方法でファイルおよびフォルダを管理でき
…（中略）…
[コンテンツ]ウィンドウには、各ファイルに関する情報が表示され
…（中略）…
ファイルをマウスの右ボタンでクリックすると、ショートカット メニューが表示され
このショートカット メニューを使って、選択したファイルに対して開く、切り取る、コピーする、名前を変更する、削除するなどの操作を行うことができ
このショートカット メニューを使って、選択したファイルのプロパティを表示したり、Web タスクを追加することができ
　
（Ｈ）第１０５頁上部の図には、
「FrontPage Explorer - Personal Web」と題されたウィンドウ
領域に「フォルダ - Personal Web」と表示され
　
（Ｉ）「
タスクとは、FrontPage Web を発行する前に注意する必要のある項目
…（中略）…
タスク ビューでは、タスクを追加したり、タスク名、説明、およびタスクの担当者を変更することができます。
特定の FrontPage Explorer の Web ウィザードおよび FrontPage Editor の一部のコマンドを使用すると、タスクを追加して、適切なページまたはファイルにリンクすることができ
　
（Ｊ）「FrontPage Web を管理する
ＷＷＷ またはイントラネットのサーバー上で直接 FrontPage Web を作成および編集する場合、FrontPage には、各 FrontPage Web の権限を設定したり、特定のコンピュータからのアクセスを制限するための、便利な管理ツールが用意され
　
FrontPage Web の権限を設定するには、FrontPage Explorer で、[ツール]メニューの[権限]をクリックします。このようにすると、[権限] ダイアログ ボックスが表示されます。
　
Web サーバー上の各 FrontPage Web には、次の権限を設定できます
・
表示する権限
・
作成する権限は、ユーザー、ユーザーグループ、または特定のワークステーションが、FrontPage Explorer で FrontPage Web を開いて頁やファイルを編集するための権限
・
管理する権限
　
（Ｋ）「
FrontPage Web を新規作成するには
１　FrontPage Explorer で、[ファイル]メニューの[新規作成]をポイントし、[FrontPage Web]をクリックします。
２　
[新しい FrontPage Web]ダイアログ ボックスで、作成する Web の種類を選択し
…（中略）…
３　
[FrontPage Web のタイトルを入力して下さい] ボックスに、新しい FrontPage Web に付けるわかりやすいタイトルを入力し
　
（Ｌ）「FrontPage Web にファイルをインポートするには
１つまたは複数のファイルをすばやく作業中の FrontPage Web にインポートするには、ファイルを FrontPage Explorer のフォルダ ビューにドラッグし
　
　上記引用例１記載事項及び図面の記載を総合勘案すると、引用例１には、次の発明（以下、「引用発明１」という。）が記載されているものと認められる。
　
「FrontPage Explorerは、FrontPage Web を作成、構成、管理、および発行するツールであって、FrontPage Explorer を使用すれば、Web サイトの構成やレイアウトの作成、ファイルやフォルダの整理、ページやファイルのインポートとエクスポート、ハイパーリンクのテストと修復、アクセス権限の管理などの作業を行うことができるとともに、FrontPage Editorを起動して、Web ページの内容をデザイン及び編集することができ、
　FrontPage Web には、HTML ページ、画像、ドキュメント、および Web サイトを構成するその他のファイルやフォルダが含まれ、
　FrontPage Explorer を初めて起動すると、[Microsoft FrontPage] ダイアログボックスが表示され、このダイアログ ボックスには、直前に開いたFrontPage Web の一覧が表示されるものであり、「Microsoft FrontPage」と題されたウィンドウには、一覧に「Personal Web(ローカル)」と表示されており、一覧から FrontPage Web を選択し、[OK] をクリックして開くものであり、
　新しい FrontPage Web を作成するには、[新しい FrontPage Web] ダイアログ ボックスを使用し、「新しい FrontPage Web」と題されたウィンドウには、入力欄に「Personal Web」と入力されており、
　FrontPage Explorer のビューを使用すると、FrontPage Web をさまざまな方法で表示し、効果的にサイトを管理することができ、
　FrontPage Web のファイルおよびフォルダの構成を表示するには、フォルダ ビューを選択し、このビューでは、Windows 95（または Windows NT）のエクスプローラと同じ方法でファイルおよびフォルダを管理でき、
　[コンテンツ]ウィンドウには、各ファイルに関する情報が表示され、
　ファイルをマウスの右ボタンでクリックすると、ショートカット メニューが表示され、このショートカット メニューを使って、選択したファイルに対して開く、切り取る、コピーする、名前を変更する、削除するなどの操作を行うことができ、また、このショートカット メニューを使って、選択したファイルのプロパティを表示したり、Web タスクを追加することができ、
　「FrontPage Explorer - Personal Web」と題されたウィンドウの領域に「フォルダ - Personal Web」と表示され、
　タスクとは、FrontPage Web を発行する前に注意する必要のある項目であり、
　特定の FrontPage Explorer の Web ウィザードおよび FrontPage Editor の一部のコマンドを使用すると、タスクを追加して、適切なページまたはファイルにリンクすることができ、
　ＷＷＷ またはイントラネットのサーバー上で直接 FrontPage Web を作成および編集する場合、FrontPage には、各 FrontPage Web の権限を設定したり、特定のコンピュータからのアクセスを制限するための、便利な管理ツールが用意され、Web サーバー上の各 FrontPage Web には、表示する権限、作成する権限、管理する権限を設定でき、作成する権限は、ユーザー、ユーザーグループ、または特定のワークステーションが、FrontPage Explorer で FrontPage Web を開いて頁やファイルを編集するための権限であり、
　FrontPage Web を新規作成するには、[新しい FrontPage Web]ダイアログ ボックスで、作成する Web の種類を選択し、[FrontPage Web のタイトルを入力して下さい] ボックスに、新しい FrontPage Web に付けるわかりやすいタイトルを入力するものであり、
　１つまたは複数のファイルをすばやく作業中の FrontPage Web にインポートするには、ファイルを FrontPage Explorer のフォルダ ビューにドラッグして行うものである、
　FrontPage Explorer。」
　
　
　また、平成２３年２月４日付けの拒絶理由通知書において引用された、本願の優先日前に頒布された刊行物である、特開平１０−４０１４８号公報（以下、「引用例２」と呼ぶ。）には、図面とともに次の技術事項が記載されている。
　
（Ｍ）「したがって本発明の目的は、上記の問題点を解決して、
バージョン情報／ページ情報／構成要素データの各々について個別に設定される有効期間の整合性のチェックおよび調整と実際に公開されるホームページの更新とを容易に行うことが可能なホームページ管理システム
　
（Ｎ）「図１は、本発明のホームページ管理システムの一実施形態の基本構成を示すブロック図であって、１１はホームページ管理テーブル、１２はホームページ関連データ格納部、１３は構成管理手段、１４は自動更新制御手段である。同図中、
ホームページ管理テーブル１１は、ホームページを構成する各ページのレイアウトなどの形式的な構成情報を定義したページ情報と、各ページに属する実体的な画像ファイルや音声ファイルなどの構成要素データと、連係している複数のページをグループ化して世代管理するためのバージョン情報とを表形式で定義したものであり、バージョン情報／ページ情報／構成要素データのそれぞれに対して、インターネット上で公開すべき有効期間（公開開始日〜公開終了日）が個別に設定される。
自動更新制御手段１４は、
ホームページ管理テーブル１１を参照して、バージョン情報／ページ情報／構成要素データの各々に設定されている有効期間を取り込み、これらの有効期間に基づき、実際にインターネット上で公開するページ情報や構成要素データなどのホームページ関連データ格納部１２における自動登録・更新・削除を行う。
　
　上記引用例２記載事項及び図面の記載を総合勘案すると、引用例２には、次の発明（以下、「引用発明２」という。）が記載されているものと認められる。
　
「バージョン情報／ページ情報／構成要素データの各々について個別に設定される有効期間の整合性のチェックおよび調整と実際に公開されるホームページの更新とを容易に行うことが可能なホームページ管理システムであって、
　ホームページ管理テーブル１１は、ホームページを構成する各ページのレイアウトなどの形式的な構成情報を定義したページ情報と、各ページに属する実体的な画像ファイルや音声ファイルなどの構成要素データと、連係している複数のページをグループ化して世代管理するためのバージョン情報とを表形式で定義したものであり、バージョン情報／ページ情報／構成要素データのそれぞれに対して、インターネット上で公開すべき有効期間（公開開始日〜公開終了日）が個別に設定され、
　自動更新制御手段１４は、ホームページ管理テーブル１１を参照して、バージョン情報／ページ情報／構成要素データの各々に設定されている有効期間を取り込み、これらの有効期間に基づき、実際にインターネット上で公開するページ情報や構成要素データなどのホームページ関連データ格納部１２における自動登録・更新・削除を行う、
　ホームページ管理システム。」
　
　
　また、佐々木  則行、Ｖｉｓｕａｌ  ＩｎｔｅｒＤｅｖ入門  第１回、月刊ウィンドウズ・ＮＴ・ワールド、日本、株式会社アイ・ディ・ジーコミュニケーションズ、１９９７年１０月９日、第２巻、第２６９頁（以下、「周知文献１」と呼ぶ。）には、図面とともに次の技術事項が記載されている。
　
（Ｏ）「Visual InterDev では、Web サイトを構成するオブジェクト（HTML ドキュメント、イメージ、ASP ファイル、データ接続など）の集合をプロジェクトと呼んでいる。したがって、Visual InterDev で Web サイトを新規に構築するというのは、新しいプロジェクトを作成して、そのプロジェクトにファイルやデータ接続などを追加していく作業である。」（第２６９頁右欄第２１〜２６行の記載。）
　
　
３．対比・判断
　本件発明と引用発明１とを比較する。
　
（１）引用発明１の「FrontPage Explorer」は、「Web サイトの構成やレイアウトの作成、ファイルやフォルダの整理、ページやファイルのインポートとエクスポート……などを行う」ものであって、例えば、「フォルダ」は、ファイルを階層化して整理するものと認められるから、「コンテンツを階層構造に編成する」ために用いられているものといえる。また、FrontPage Explorer がコンピュータにより実行されるソフトウェアであることは明らかであるから、引用発明１と本件発明は「コンピュータにより実行される、コンテンツを階層構造に編成する編成方法」である点で一致する。
　
（２）周知文献１の記載事項（Ｏ）に記載されるように、コンピュータ分野において、サイトを構成するオブジェクトの集合を「プロジェクト」と称することは一般的に行われていることである。そして、引用発明１の FrontPage Web は「FrontPage Web には、HTML ページ、画像、ドキュメント、および Web サイトを構成するその他のファイルやフォルダが含まれ」るものであるから、引用発明１の「FrontPage Web」は「プロジェクト」と呼ぶことができる。
　そして、引用発明１は、「FrontPage Web を新規作成するには、[新しい FrontPage Web]ダイアログ ボックスで、作成する Web の種類を選択し、[FrontPage Web のタイトルを入力して下さい] ボックスに、新しい FrontPage Web に付けるわかりやすいタイトルを入力する」ものであるから、かかる手順において「FrontPage Web」、すなわち、「プロジェクト」を作成しているものといえる。したがって、引用発明１と本件発明とは「プロジェクトを作成するステップ」を有する点において一致する。
　
（３）引用発明１は、「[FrontPage Web のタイトルを入力して下さい] ボックスに、新しい FrontPage Web に付けるわかりやすいタイトルを入力する」ものであるから、FrontPage Web に対応して「タイトル」の情報を付加していると言え、FrontPage Web の「タイトル」の情報は、FrontPage Web に対する「メタデータ」であると言える。
　そして、引用発明１の「新しい FrontPage Web を作成するには、[新しい FrontPage Web] ダイアログ ボックスを使用し、「新しい FrontPage Web」と題されたウィンドウには、
入力欄に「Personal Web」と入力され
一覧に「Personal Web(ローカル)」と表示されて
　さらに、引用発明１の「FrontPage Web のファイルおよびフォルダの構成を表示するには、フォルダ ビューを選択し、このビューでは、Windows 95（または Windows NT）のエクスプローラと同じ方法でファイルおよびフォルダを管理でき」る点、および、「「FrontPage Explorer - Personal Web」と題されたウィンドウの領域に「
フォルダ - Personal Web」と表示
　加えて、引用発明１は、「Web サーバー上の各 FrontPage Web には、表示する権限、作成する権限、管理する権限を設定でき」、「作成する権限は、ユーザー、ユーザーグループ、または特定のワークステーションが、FrontPage Explorer で FrontPage Web を開いてページやファイルを編集するための権限」であるから、引用発明１の「権限」は「メタデータ」であるといえ、引用発明１は、FrontPage Web、すなわち、「プロジェクト」を「保存」、「編成」、「管理」する際に、当然、上記権限を用いているものと言える。 
　したがって、引用発明１は、「上記プロジェクトを保存し、編成し、管理するために用いられるメタデータを上記作成したプロジェクトに添付するステップ」、および、「上記作成したプロジェクトを保存するステップ」を有する点において本件発明と一致している。
　
（４）本件発明の「上記作成されたプロジェクトに関連付けるために、上記資産が上記プロジェクトに既に関連付けられている場合に解除するために、及び上記資産に関する上記メタデータについての情報を入力するために選択可能な資産のライブラリを閲覧するステップ」について、それ以前に「資産」についての記載がないため、「上記資産」の示すものが不明であるが、これは単なる誤記と認められるから、「資産」と記載されたものと解釈して検討する。
　引用発明１は、「FrontPage Explorer のビューを使用すると、FrontPage Web をさまざまな方法で表示し、効果的にサイトを管理することができ」、「FrontPage Web のファイルおよびフォルダの構成を表示するには、フォルダ ビューを選択し、このビューでは、Windows 95（または Windows NT）のエクスプローラと同じ方法でファイルおよびフォルダを管理でき」、「[コンテンツ]ウィンドウには、各ファイルに関する情報が表示され」るから、引用発明１のフォルダ ビューは「選択可能な資産のライブラリを閲覧するステップ」に相当する。
　そして、引用発明１は、「１つまたは複数のファイルを素早く作業中の FrontPage Web にインポートするには、ファイルを FrontPage Explorer のフォルダ ビューにドラッグして行う」ものであることから、引用発明１の「フォルダ ビュー」は、「ファイル」すなわち「資産」を「作成されたプロジェクトに関連づけるために」用いられているものと言え、さらに、引用発明１は「上記少なくとも１つの資産を選択して上記作成したプロジェクトに関連づけるステップ」を有していると言える。
　次に、引用発明１は、「ファイルをマウスの右ボタンでクリックすると、ショートカット メニューが表示され、このショートカット メニューを使って、選択したファイルに対して……削除するなど操作を行うことができ」るものである。そして、引用発明１の「削除」操作は、FrontPage Web に含まれたファイルを削除するものであるから、結果として、「プロジェクトに既に関連づけられている」資産の関連づけを「解除」しているものと言える。
　次に、引用発明１は「このショートカット メニューを使って、選択したファイルに対して……名前を変更する……操作を行うことができ」るものであるが、ファイルの名前は、ファイル、すなわち、「資産」に関する「メタデータ」であるものと言えるから、引用発明１は、「上記資産に関する上記メタデータについての情報を入力する」ものと言える。
　さらに、引用発明１は「ショートカット メニューを使って……Web タスクを追加することができ」るものであり、「タスクとは、FrontPage Web を発行する前に注意する必要のある項目」である。そして、引用発明１は「特定の FrontPage Explorer の Web ウィザードおよび FrontPage Editor の一部のコマンドを使用すると、タスクを追加して、適切なページまたはファイルにリンクする」ものであることから、引用発明１の「タスク」は「ページまたはファイル」、すなわち、「資産」にリンクされた情報であると言え、「タスク」は「資産に関する」「メタデータ」であると言える。したがって、かかる点においても、引用発明１は「上記資産に関する上記メタデータについての情報を入力する」ものであると言える。
　
　すると、本件発明と引用発明１とは次の点で一致する。
＜一致点＞
「コンピュータにより実行される、コンテンツを階層構造に編成する編成方法において、
　プロジェクトを作成するステップと、
　上記プロジェクトを保存し、編成し、管理するために用いられるメタデータを上記作成したプロジェクトに添付するステップと、
　上記作成されたプロジェクトに関連付けるために、上記資産が上記プロジェクトに既に関連付けられている場合に解除するために、及び上記資産に関する上記メタデータについての情報を入力するために選択可能な資産のライブラリを閲覧するステップと、
　上記少なくとも１つの資産を選択して上記作成したプロジェクトに関連付けるステップと、
　上記作成したプロジェクトを保存するステップとを有する編成方法。」
　
　一方で、両者は次の点で相違する。
＜相違点＞
　本件発明は、「上記作成したプロジェクトをスケジューリングするステップ」を有するのに対して、引用発明１は上記点について特に記載がない点。
　
　そこで、上記相違点について検討すると、引用発明２は、「ホームページ管理システム」であって、「ホームページ管理テーブル１１」に「バージョン情報／ページ情報／構成要素データのそれぞれに対して、インターネット上で公開すべき有効期間（公開開始日〜公開終了日）が個別に設定され」るとともに、「自動更新制御手段１４」は、「ホームページ管理テーブル１１を参照して、バージョン情報／ページ情報／構成要素データの各々に設定されている有効期間を取り込み、これらの有効期間に基づき、実際にインターネット上で公開するページ情報や構成要素データなどのホームページ関連データ格納部１２における自動登録・更新・削除を行う」ものであるから、引用発明２は、「上記作成したプロジェクトをスケジューリングするステップ」を有する点において、本件発明と一致しているものと言える。
　そして、引用発明１及び２は、ホームページを管理するためのものである点において技術分野が一致しており、引用発明１において、ホームページの更新等を容易にするために引用発明２が有用であることは当業者にとって明らかであるから、引用発明１において引用発明２を採用して上記相違点にかかる構成を想到することは、当業者が容易になしえたことと認められる。
　
　また、本件発明の作用効果も、引用発明１、２から当業者が容易に予測し得たものである。
　したがって、本件発明は、引用発明１、２から当業者が容易に想到し得たものである。
　
　
４．むすび
　以上のとおり、本件発明は、特許法第２９条第２項の規定により特許を受けることができないものである。
　したがって、その余の請求項について論究するまでもなく、本願は拒絶すべきものである。
　よって、結論のとおり審決する。